(57)【特許請求の範囲】
【請求項１】
少なくとも1種の酸化染料前駆体;
以下の構造
H-(O-CH2-CH2)a-(O-CH(CH3)-CH2)b-(O-CH2-CH2)a'-OH
(式中、aおよびa'は、2から150までの範囲であり、bは、1から100までの範囲である)を有する少なくとも1種のエチレンオキシドとプロピレンオキシドの重縮合物;および
4meq./g以上の電荷密度を有する少なくとも1種のカチオン性ポリマー
を含む染料組成物であって、
前記カチオン性ポリマーが、式(a)：
【化１】
0005897596.tif 000011
(式中、R18、R19、R20およびR21は、同一であってもまたは異なっていてもよく、1から4個までの炭素原子を含有するアルキルまたはヒドロキシアルキル基を意味し、rおよびsは、2から20までの整数であり、X-は、無機酸または有機酸から得られるアニオンである)
に対応する反復単位から形成されるポリマーから選択される、染料組成物。
【請求項２】
酸化染料前駆体として、パラ-フェニレンジアミン、ビス(フェニル)アルキレンジアミン、パラ-アミノフェノール、オルト-アミノフェノールおよび複素環式塩基ならびにそれらの付加塩から選ばれる1種または複数の酸化ベースと、任意選択で、メタ-フェニレンジアミン、メタ-アミノフェノール、メタ-ジフェノール、ナフタレンベースのカップラーおよび複素環式カップラーおよびさらにそれらの付加塩から選ばれる1種または複数のカップラーとを含むことを特徴とする、請求項1に記載の組成物。
【請求項３】
エチレンオキシドとプロピレンオキシドの重縮合物が、aおよびa'が、10から130までの範囲であり、bが、20から80までの範囲であるようなものである、請求項1から2のいずれか一項に記載の組成物。
【請求項４】
エチレンオキシドとプロピレンオキシドの重縮合物が、aおよびa'が、50から130までの範囲であり、bが、30から80までの範囲である、請求項1から3のいずれかに記載の組成物。
【請求項５】
エチレンオキシドとプロピレンオキシドの重縮合物が、aおよびa'が同一であるようなものである、請求項1から4のいずれか一項に記載の組成物。
【請求項６】
エチレンオキシドとプロピレンオキシドの重縮合物の量が、組成物の総重量に対して、0.1重量%から20重量%までの範囲である、請求項1から5のいずれか一項に記載の組成物。
【請求項７】
4meq./g以上の電荷密度を有するカチオン性ポリマーが、組成物の総重量に対して、0.01重量%から10重量%までの範囲の量で存在する、請求項1から6のいずれか一項に記載の組成物。
【請求項８】
4meq./g以上の電荷密度を有するカチオン性ポリマー/前記エチレンオキシドとプロピレンオキシドの重縮合物の重量比が、0.1から10までの範囲である、請求項1から7のいずれか一項に記載の組成物。
【請求項９】
25℃で大気圧(760mmHg)下で液体であることを特徴とする、請求項1から8のいずれか一項に記載の組成物。
【請求項１０】
8%を超えるイオン性または非イオン性界面活性剤の総量を含むことを特徴とする、請求項1から9のいずれか一項に記載の組成物。
【請求項１１】
少なくとも1種の酸化剤を含む、請求項1から10のいずれか一項に記載の組成物。
【請求項１２】
請求項1から10のいずれか一項に記載の組成物が酸化剤と混合され、混合後の前記組成物が毛髪に適用されることを特徴とする、毛髪染色プロセス。
【請求項１３】
一方の区画において、請求項1から10のいずれか一項に記載の組成物を含む第1の組成物を、他方の区画において、1種または複数の酸化剤を含む第2の組成物を含有する、2つの区画を含むデバイス。
【発明の詳細な説明】
【技術分野】
【０００１】
本発明は、ヒトケラチン繊維、特に毛髪を染色するための組成物に関する。本発明はまた、この組成物を使用した染色プロセス、およびそれを含有する多区画デバイスにも関する。
【背景技術】
【０００２】
毛髪などのヒトケラチン繊維を染色するための方法のうち、酸化染色または永久染色を挙げることができる。より特定すれば、この染色方法は、1種または複数の酸化染料前駆体および通常、1種または複数のカップラーと任意選択で組み合わせた1種または複数の酸化ベースを使用する。
【０００３】
一般に、酸化ベースは、オルト-またはパラ-フェニレンジアミン、オルト-またはパラ-アミノフェノールおよび複素環式化合物から選ばれる。これらの酸化ベースは、酸化製品と組み合わせた場合に着色された種を得ることができる、無色のまたは薄く着色された化合物である。
【０００４】
これらの酸化ベースを用いて得られる色調は、それらを1種または複数のカップラーと組み合わせることによって変化させることが多く、これらのカップラーは、特に、芳香族メタ-ジアミン、メタ-アミノフェノール、メタ-ジフェノールおよびインドール化合物などのある特定の複素環式化合物から選ばれる。
【０００５】
酸化ベースおよびカップラーとして使用される分子の多様性により、広範囲の色を得ることができる。
【０００６】
これらの組成物に、着色された、繊維に親和性を有する着色分子である直接染料を添加することもまた可能である。一般に使用される直接染料は、ニトロベンゼン、アントラキノン、ニトロピリジン、アゾ、メチン、アゾメチン、キサンテン、アクリジン、アジンおよびトリアリールメタン直接染料から選ばれる。そのような化合物の存在により、得られた着色を毛髪染料でさらに濃くすることが可能であり、または得られた着色の色度を増強することが可能である。
【０００７】
したがって酸化染色プロセスは、大半の場合アルカリ性pH条件下で、これらの染料組成物とともに、少なくとも1種の酸化剤、一般に過酸化水素を含む組成物を使用するものである。この酸化剤の役割は、酸化染料間の酸化的縮合反応を介して着色を明らかにすることである。
【０００８】
酸化染料はさらに、若干数の要件を満たさなければならない。したがって、酸化染料は、毒物学的欠点を含んではならず、所望の強度の色調を得ることが可能でなければならず、光、悪天候、洗浄、パーマネントウェーブ形成、またはアスピレーションなどの外部の攻撃因子および摩擦に対する耐性を示さなければならない。
【０００９】
染料はまた、白髪を隠すことができなければならず、最後に、染料は、可能な限り非選択的でなければならず、すなわち、染料は、その末端からその根元まで異なる程度で感受性になっている(すなわち傷んだ)部分を一般に含む同じケラチン繊維に沿って、起こり得る色の差異を最小にしなければならない。
【００１０】
ケラチン繊維中への染料の反応/浸透時間中に、染料組成物を毛髪上に保つため、および顔に垂れる危険性を制限するために、組成物を安定化させ、その粘度を維持するための特定のポリマーを含有する染料組成物を使用することはごく一般的なことである。
【００１１】
酸化染色において、特に、酸化組成物と混合される酸化染料前駆体を含有する液体の形態である染色製品において、界面活性剤、特に非イオン性界面活性剤を使用することがさらに勧告されており、液体組成物では、これらの界面活性剤の比率が大きいことが多い。これらの液体組成物を酸化組成物と混合した後に、特に垂れることを防止するために十分な粘度で、満足のいく適用状態を得るために、ほとんどの場合、前記液体組成物をわずかに増粘することが必要であることが分かっている。残念ながら、増粘ポリマーの大部分は、組成物の急速な偏析をもたらす。そのうえ、非常に多くの場合、ポリマーの粘度増強力は、それらを比較的多量の界面活性剤と組み合わせた場合、非常に大きく低減する。
【先行技術文献】
【特許文献】
【００１２】
【特許文献１】GB1026978
【特許文献２】GB1153196
【特許文献３】FR2 801 308
【特許文献４】DE 2359399
【特許文献５】JP 88-169571
【特許文献６】JP 05-63124
【特許文献７】EP 0770375
【特許文献８】WO 96/15765
【特許文献９】DE 3843892
【特許文献１０】DE 4133957
【特許文献１１】WO 94/08969
【特許文献１２】WO 94/08970
【特許文献１３】FR-A-2 733 749
【特許文献１４】DE 195 43 988
【特許文献１５】FR-A-2886 136
【特許文献１６】EP-A-0337 354
【特許文献１７】FR-A-2270846
【特許文献１８】FR-A-2383 660
【特許文献１９】FR-A-2598 611
【特許文献２０】FR-A-2470 596
【特許文献２１】FR-A-2519863
【特許文献２２】EP-A-080976
【特許文献２３】仏国特許第2077143号
【特許文献２４】仏国特許第2393573号
【特許文献２５】仏国特許第2080759号
【特許文献２６】追加証明書第2190406号
【特許文献２７】仏国特許第2320330号
【特許文献２８】仏国特許第2270846号
【特許文献２９】仏国特許第2316271号
【特許文献３０】仏国特許第2336434号
【特許文献３１】仏国特許第2413907号
【特許文献３２】米国特許第2273780号
【特許文献３３】米国特許第2375853号
【特許文献３４】米国特許第2388614号
【特許文献３５】米国特許第2454547号
【特許文献３６】米国特許第3206462号
【特許文献３７】米国特許第2261002号
【特許文献３８】米国特許第2271378号
【特許文献３９】米国特許第3874870号
【特許文献４０】米国特許第4001432号
【特許文献４１】米国特許第3929990号
【特許文献４２】米国特許第3966904号
【特許文献４３】米国特許第4005193号
【特許文献４４】米国特許第4025617号
【特許文献４５】米国特許第4025627号
【特許文献４６】米国特許第4025653号
【特許文献４７】米国特許第4026945号
【特許文献４８】米国特許第4027020号
【特許文献４９】EP-A-122 324
【発明の概要】
【発明が解決しようとする課題】
【００１３】
本発明の目的の1つは、長時間安定であり、適用中、垂れることなく、同時に毛髪上に得られた染色特性を保存しながら、特に同じ繊維の末端と根元の間の、および1つの繊維から別の繊維までの、強力な有彩色の均一な着色を保存しながら、毛髪上に残存する、毛髪を染色するための組成物を得ることである。
【課題を解決するための手段】
【００１４】
この目的は、本発明によって達成され、その1つの主題は、少なくとも1種の酸化染料前駆体および下記式(I):
H-(O-CH2-CH2)a-(O-CH(CH3)-CH2)b-(O-CH2-CH2)a'-OH、      (I)
(式中、aおよびa'は、2から150までの範囲であり、bは、1から100までの範囲である)の少なくとも1種のエチレンオキシドとプロピレンオキシドの重縮合物;および
4meq./g以上の電荷密度を有する少なくとも1種のカチオン性ポリマー
を含む染料組成物である。
【００１５】
本発明はまた、酸化剤の存在下において繊維に本発明の組成物を適用するものである、毛髪染色プロセスにも関する。
【００１６】
本発明の1つの主題はまた、区画の一方において、上記に定義された通りの本発明の組成物を、他方の区画において、少なくとも1種の酸化剤を含む組成物を含有する2区画デバイスである。
【００１７】
したがって、本発明は、垂れる危険性なく、毛髪上への適用後にその場に残存する、長時間安定である増粘された組成物を得ることを可能にする。加えて、この組成物は、改善された染色特性を有する。
【発明を実施するための形態】
【００１８】
本明細書において、組成物の成分と関連した「少なくとも1種の」という用語は、「1種または複数の」と等価である。
【００１９】
本発明による組成物は、少なくとも1種のポリエチレングリコール/ポリプロピレングリコール/ポリエチレングリコールトリブロック重縮合物を含む。上記の化学構造において、好ましくは、aおよびa'は、10から130までの範囲であり、bは、20から80までの範囲であり、さらに良いのはaおよびa'は、50から130までの範囲であり、bは、30から80までの範囲であり、さらになお良いのはaおよびa'は、80から130までの範囲であり、bは、40から80までの範囲である。1つの特定の実施態様によれば、aおよびa'は同一である。
【００２０】
本発明の組成物において有用であるエチレンオキシドとプロピレンオキシドの重縮合物は、好ましくは、250から19000の範囲の、さらに良いのは1200から15000の範囲の、特に1500から10000の範囲の、さらになお良いのは1500から5000の範囲の重量平均分子量を有する。
【００２１】
有利には、前記エチレンオキシドとプロピレンオキシドの重縮合物は、蒸留水中10g/lで、20℃以上の、好ましくは60℃以上の曇点を有する。曇点は、規格ISO1065に従って測定される。
【００２２】
本発明によって使用されてもよいエチレンオキシドとプロピレンオキシドの重縮合物として、Croda社からSynperonic、例えばSynperonic(登録商標)PE/F32(INCI名:ポロキサマー108)、Synperonic(登録商標)PE/F108(INCI名:ポロキサマー338)、Synperonic(登録商標)PE/L44(INCI名:ポロキサマー124)、Synperonic(登録商標)PE/L42(INCI名:ポロキサマー122)、Synperonic(登録商標)PE/F127(INCI名:ポロキサマー407)、Synperonic(登録商標)PE/F88(INCI名:ポロキサマー238)、Synperonic(登録商標)PE/L64(INCI名:ポロキサマー184)、Synperonic(登録商標)PE/F88(INCI名:ポロキサマー238)、Synperonic(登録商標)PE/F87(INCI名:ポロキサマー237)、またはBASF社からLutrol(登録商標)F68(INCI名:ポロキサマー188)という名称で販売されているポリエチレングリコール/ポリプロピレングリコール/ポリエチレングリコールトリブロック重縮合物を挙げることができる。
【００２３】
本発明の一実施形態によれば、エチレンオキシドとプロピレンオキシドの重縮合物の量は、好ましくは、組成物の総重量に対して、0.1重量%から20重量%まで、さらにより優先的には0.5重量%から10重量%まで、さらに良いのは1重量%から5重量%までの範囲である。
【００２４】
本発明の組成物において有用である酸化染料は、一般に、酸化ベースおよびカップラーから選ばれる。
【００２５】
挙げることができる酸化ベースの例は、パラ-フェニレンジアミン、ビス(フェニル)アルキレンジアミン、パラ-アミノフェノール、オルト-アミノフェノールおよび複素環塩基、およびそれらの付加塩を含む。
【００２６】
挙げることができるパラ-フェニレンジアミンは、例えば、パラ-フェニレンジアミン、パラ-トルエンジアミン、2-クロロ-パラ-フェニレンジアミン、2,3-ジメチル-パラ-フェニレンジアミン、2,6-ジメチル-パラ-フェニレンジアミン、2,6-ジエチル-パラ-フェニレンジアミン、2,5-ジメチル-パラ-フェニレンジアミン、N,N-ジメチル-パラ-フェニレンジアミン、N,N-ジエチル-パラ-フェニレンジアミン、N,N-ジプロピル-パラ-フェニレンジアミン、4-アミノ-N,N-ジエチル-3-メチルアニリン、N,N-ビス(β-ヒドロキシエチル)-パラ-フェニレンジアミン、4-N,N-ビス(β-ヒドロキシエチル)アミノ-2-メチルアニリン、4-N,N-ビス(β-ヒドロキシエチル)アミノ-2-クロロアニリン、2-β-ヒドロキシエチル-パラ-フェニレンジアミン、2-フルオロ-パラ-フェニレンジアミン、2-イソプロピル-パラ-フェニレンジアミン、N-(β-ヒドロキシプロピル)-パラ-フェニレンジアミン、2-ヒドロキシメチル-パラ-フェニレンジアミン、N,N-ジメチル-3-メチル-パラ-フェニレンジアミン、N,N-(エチル-β-ヒドロキシエチル)-パラ-フェニレンジアミン、N-(β,γ-ジヒドロキシプロピル)-パラ-フェニレンジアミン、N-(4'-アミノフェニル)-パラ-フェニレンジアミン、N-フェニル-パラ-フェニレンジアミン、2-β-ヒドロキシエチルオキシ-パラ-フェニレンジアミン、2-β-アセチルアミノエチルオキシ-パラ-フェニレンジアミン、N-(β-メトキシエチル)-パラ-フェニレンジアミン、4-アミノフェニルピロリジン、2-チエニル-パラ-フェニレンジアミン、2-β-ヒドロキシエチルアミノ-5-アミノトルエンおよび3-ヒドロキシ-1-(4'-アミノフェニル)ピロリジン、およびそれらの酸との付加塩である。
【００２７】
上記に挙げたパラ-フェニレンジアミンのうち、パラ-フェニレンジアミン、パラ-トルエンジアミン、2-イソプロピル-パラ-フェニレンジアミン、2-β-ヒドロキシエチル-パラ-フェニレンジアミン、2-β-ヒドロキシエチルオキシ-パラ-フェニレンジアミン、2,6-ジメチル-パラ-フェニレンジアミン、2,6-ジエチル-パラ-フェニレンジアミン、2,3-ジメチル-パラ-フェニレンジアミン、N,N-ビス(β-ヒドロキシエチル)-パラ-フェニレンジアミン、2-クロロ-パラ-フェニレンジアミンおよび2-β-アセチルアミノエチルオキシ-パラ-フェニレンジアミン、およびそれらの酸との付加塩が特に好ましい。
【００２８】
挙げることができるビス(フェニル)アルキレンジアミンは、例えば、N,N'-ビス(β-ヒドロキシエチル)-N,N'-ビス(4'-アミノフェニル)-1,3-ジアミノプロパノール、N,N'-ビス(β-ヒドロキシエチル)-N,N'-ビス(4'-アミノフェニル)エチレンジアミン、N,N'-ビス(4-アミノフェニル)テトラメチレンジアミン、N,N'-ビス(β-ヒドロキシエチル)-N,N'-ビス(4-アミノフェニル)テトラメチレンジアミン、N,N'-ビス(4-メチルアミノフェニル)テトラメチレンジアミン、N,N'-ビス(エチル)-N,N'-ビス(4'-アミノ-3'-メチルフェニル)エチレンジアミンおよび1,8-ビス(2,5-ジアミノフェノキシ)-3,6-ジオキサオクタン、およびそれらの付加塩である。
【００２９】
挙げることができるパラ-アミノフェノールは、例えば、パラ-アミノフェノール、4-アミノ-3-メチルフェノール、4-アミノ-3-フルオロフェノール、4-アミノ-3-クロロフェノール、4-アミノ-3-ヒドロキシメチルフェノール、4-アミノ-2-メチルフェノール、4-アミノ-2-ヒドロキシメチルフェノール、4-アミノ-2-メトキシメチルフェノール、4-アミノ-2-アミノメチルフェノール、4-アミノ-2-(β-ヒドロキシエチルアミノメチル)フェノールおよび4-アミノ-2-フルオロフェノール、およびそれらの酸との付加塩である。
【００３０】
挙げることができるオルト-アミノフェノールは、例えば、2-アミノフェノール、2-アミノ-5-メチルフェノール、2-アミノ-6-メチルフェノールおよび5-アセトアミド-2-アミノフェノール、およびそれらの付加塩である。
【００３１】
挙げることができる複素環塩基は、例えば、ピリジン誘導体、ピリミジン誘導体およびピラゾール誘導体である。
【００３２】
挙げることができるピリジン誘導体は、例えば、特許GB1026978およびGB1153196において記載されている化合物、例えば、2,5-ジアミノピリジン、2-(4-メトキシフェニル)アミノ-3-アミノピリジンおよび3,4-ジアミノピリジンならびにそれらの付加塩である。
【００３３】
本発明において有用である他のピリジン酸化ベースは、例えば、特許出願FR2 801 308において記載されている3-アミノピラゾロ[1,5-a]ピリジン酸化ベースまたはそれらの付加塩である。挙げることができる例は、ピラゾロ[1,5-a]ピリド-3-イルアミン、2-アセチルアミノピラゾロ[1,5-a]ピリド-3-イルアミン、2-モルホリン-4-イルピラゾロ[1,5-a]ピリド-3-イルアミン、3-アミノピラゾロ[1,5-a]ピリジン-2-カルボン酸、2-メトキシピラゾロ[1,5-a]ピリド-3-イルアミン、(3-アミノピラゾロ[1,5-a]ピリド-7-イル)メタノール、2-(3-アミノピラゾロ[1,5-a]ピリド-5-イル)エタノール、2-(3-アミノピラゾロ[1,5-a]ピリド-7-イル)エタノール、(3-アミノピラゾロ[1,5-a]ピリド-2-イル)メタノール、3,6-ジアミノピラゾロ[1,5-a]ピリジン、3,4-ジアミノピラゾロ[1,5-a]ピリジン、ピラゾロ[1,5-a]ピリジン-3,7-ジアミン、7-モルホリン-4-イルピラゾロ[1,5-a]ピリド-3-イルアミン、ピラゾロ[1,5-a]ピリジン-3,5-ジアミン、5-モルホリン-4-イルピラゾロ[1,5-a]ピリド-3-イルアミン、2-[(3-アミノピラゾロ[1,5-a]ピリド-5-イル)(2-ヒドロキシエチル)アミノ]エタノール、2-[(3-アミノピラゾロ[1,5-a]ピリド-7-イル)(2-ヒドロキシエチル)アミノ]エタノール、3-アミノピラゾロ[1,5-a]ピリジン-5-オール、3-アミノピラゾロ[1,5-a]ピリジン-4-オール、3-アミノピラゾロ[1,5-a]ピリジン-6-オールおよび3-アミノピラゾロ[1,5-a]ピリジン-7-オール、およびそれらの付加塩を含む。
【００３４】
挙げることができるピリミジン誘導体は、例えば、特許DE 2359399;JP 88-169571;JP 05-63124;EP 0770375または特許出願WO 96/15765において記載されている化合物、例えば、2,4,5,6-テトラアミノピリミジン、4-ヒドロキシ-2,5,6-トリアミノピリミジン、2-ヒドロキシ-4,5,6-トリアミノピリミジン、2,4-ジヒドロキシ-5,6-ジアミノピリミジン、2,5,6-トリアミノピリミジンなど、およびそれらの付加塩、ならびに互変異性平衡が存在する場合はそれらの互変異性型である。
【００３５】
挙げることができるピラゾール誘導体は、特許DE 3843892、DE 4133957および特許出願WO 94/08969、WO 94/08970、FR-A-2 733 749およびDE 195 43 988において記載されている化合物、例えば、4,5-ジアミノ-1-メチルピラゾール、4,5-ジアミノ-1-(β-ヒドロキシエチル)ピラゾール、3,4-ジアミノピラゾール、4,5-ジアミノ-1-(4'-クロロベンジル)ピラゾール、4,5-ジアミノ-1,3-ジメチルピラゾール、4,5-ジアミノ-3-メチル-1-フェニルピラゾール、4,5-ジアミノ-1-メチル-3-フェニルピラゾール、4-アミノ-1,3-ジメチル-5-ヒドラジノピラゾール、1-ベンジル-4,5-ジアミノ-3-メチルピラゾール、4,5-ジアミノ-3-tert-ブチル-1-メチルピラゾール、4,5-ジアミノ-1-tert-ブチル-3-メチルピラゾール、4,5-ジアミノ-1-(β-ヒドロキシエチル)-3-メチルピラゾール、4,5-ジアミノ-1-エチル-3-メチルピラゾール、4,5-ジアミノ-1-エチル-3-(4'-メトキシフェニル)ピラゾール、4,5-ジアミノ-1-エチル-3-ヒドロキシメチルピラゾール、4,5-ジアミノ-3-ヒドロキシメチル-1-メチルピラゾール、4,5-ジアミノ-3-ヒドロキシメチル-1-イソプロピルピラゾール、4,5-ジアミノ-3-メチル-1-イソプロピルピラゾール、4-アミノ-5-(2'-アミノエチル)アミノ-1,3-ジメチルピラゾール、3,4,5-トリアミノピラゾール、1-メチル-3,4,5-トリアミノピラゾール、3,5-ジアミノ-1-メチル-4-メチルアミノピラゾール、3,5-ジアミノ-4-(β-ヒドロキシエチル)アミノ-1-メチルピラゾール、など、およびそれらの付加塩である。4,5-ジアミノ-1-(β-メトキシエチル)ピラゾールもまた使用されてもよい。4,5-ジアミノピラゾール、さらにより優先的には4,5-ジアミノ-1-(β-ヒドロキシエチル)ピラゾールおよび/またはその塩が、好ましくは使用される。
【００３６】
また挙げることができるピラゾール誘導体は、ジアミノ-N,N-ジヒドロ-ピラゾロピラゾロン、特に、特許出願FR-A-2886 136において記載されているもの、例えば、以下の化合物: 2,3-ジアミノ-6,7-ジヒドロ-1H,5H-ピラゾロ[1,2-a]ピラゾール-1-オン、2-アミノ-3-エチルアミノ-6,7-ジヒドロ-1H,5H-ピラゾロ[1,2-a]ピラゾール-1-オン、2-アミノ-3-イソプロピルアミノ-6,7-ジヒドロ-1H,5H-ピラゾロ[1,2-a]ピラゾール-1-オン、2-アミノ-3-(ピロリジン-1-イル)-6,7-ジヒドロ-1H,5H-ピラゾロ[1,2-a]ピラゾール-1-オン、4,5-ジアミノ-1,2-ジメチル-1,2-ジヒドロピラゾール-3-オン、4,5-ジアミノ-1,2-ジエチル-1,2-ジヒドロピラゾール-3-オン、4,5-ジアミノ-1,2-ジ-(2-ヒドロキシエチル)-1,2-ジヒドロピラゾール-3-オン、2-アミノ-3-(2-ヒドロキシエチル)アミノ-6,7-ジヒドロ-1H,5H-ピラゾロ[1,2-a]ピラゾール-1-オン、2-アミノ-3-ジメチルアミノ-6,7-ジヒドロ-1H,5H-ピラゾロ[1,2-a]ピラゾール-1-オン、2,3-ジアミノ-5,6,7,8-テトラヒドロ-1H,6H-ピリダジノ[1,2-a]ピラゾール-1-オン、4-アミノ-1,2-ジエチル-5-(ピロリジン-1-イル)-1,2-ジヒドロピラゾール-3-オン、4-アミノ-5-(3-ジメチルアミノピロリジン-1-イル)-1,2-ジエチル-1,2-ジヒドロピラゾール-3-オン、2,3-ジアミノ-6-ヒドロキシ-6,7-ジヒドロ-1H,5H-ピラゾロ[1,2-a]ピラゾール-1-オンなど、およびそれらの付加塩を含む。2,3-ジアミノ-6,7-ジヒドロ-1H,5H-ピラゾロ[1,2-a]ピラゾール-1-オンおよび/またはその塩が、好ましくは使用される。
【００３７】
4,5-ジアミノ-1-(β-ヒドロキシエチル)ピラゾールおよび/または2,3-ジアミノ-6,7-ジヒドロ-1H,5H-ピラゾロ[1,2-a]ピラゾール-1-オンおよび/またはその塩が、複素環塩基として優先的に使用される。
【００３８】
これらのカップラーのうち、メタ-フェニレンジアミン、メタ-アミノフェノール、メタ-ジフェノール、ナフタレンベースのカップラーおよび複素環式カップラー、およびさらにそれらの付加塩を特に挙げることができる。
【００３９】
例えば、1,3-ジヒドロキシベンゼン、1,3-ジヒドロキシ-2-メチルベンゼン、4-クロロ-1,3-ジヒドロキシベンゼン、2,4-ジアミノ-1-(β-ヒドロキシエチルオキシ)ベンゼン、2-アミノ-4-(β-ヒドロキシエチルアミノ)-1-メトキシベンゼン、1,3-ジアミノベンゼン、1,3-ビス(2,4-ジアミノフェノキシ)プロパン、3-ウレイドアニリン、3-ウレイド-1-ジメチルアミノベンゼン、セサモール、1-β-ヒドロキシエチルアミノ-3,4-メチレンジオキシベンゼン、α-ナフトール、2-メチル-1-ナフトール、6-ヒドロキシインドール、4-ヒドロキシインドール、4-ヒドロキシ-N-メチルインドール、2-アミノ-3-ヒドロキシピリジン、6-ヒドロキシベンゾモルホリン、3,5-ジアミノ-2,6-ジメトキシピリジン、1-N-(β-ヒドロキシエチル)アミノ-3,4-メチレンジオキシベンゼン、2,6-ビス(β-ヒドロキシエチルアミノ)  トルエン、6-ヒドロキシインドリン、2,6-ジヒドロキシ-4-メチルピリジン、1-H-3-メチルピラゾール-5-オン、1-フェニル-3-メチルピラゾール-5-オン、2,6-ジメチルピラゾロ[1,5-b]-1,2,4-トリアゾール、2,6-ジメチル[3,2-c]-1,2,4-トリアゾールおよび6-メチル-ピラゾロ[1,5-a]-ベンゾイミダゾール、それらの酸との付加塩、およびそれらの混合物を挙げることができる。
【００４０】
一般に、本発明の状況において使用されてもよい酸化ベースおよびカップラーの付加塩は、特に、塩酸塩、臭化水素酸塩、硫酸塩、クエン酸塩、コハク酸塩、酒石酸塩、乳酸塩、トシル酸塩、ベンゼンスルホン酸塩、リン酸塩および酢酸塩などの酸との付加塩から選択される。
【００４１】
一実施形態によれば、組成物は、少なくとも1種の酸化ベースおよび任意選択でカップラーを含む。
【００４２】
酸化ベースはそれぞれ有利には、組成物の総重量に対して0.0001重量%から10重量%まで、好ましくは組成物の総重量に対して0.005重量%から5重量%までに相当する。
【００４３】
カップラーの含有量は、それ(それら)が存在する場合、それぞれ有利には、組成物の総重量に対して0.0001重量%から10重量%まで、好ましくは組成物の総重量に対して0.005重量%から5重量%までに相当する。
【００４４】
本発明の組成物は、1グラム当たり4ミリグラム当量(meq./g)以上、好ましくは1グラム当たり5ミリグラム当量(meq./g)以上、好ましくは5から20meq./gまで、より特定すれば5.5から10meq./gまでの範囲の電荷密度を有する、少なくとも1種のカチオン性ポリマーを含有する。
【００４５】
ポリマーのカチオン電荷密度は、それが完全にイオン化している条件下でのポリマーの単位質量当たりのカチオン電荷のモル数に対応する。カチオン電荷密度は、ポリマーの構造、すなわち、ポリマーを構成しているモノマーの構造およびそれらのモル比率または重量比率が既知であれば、計算によって決定することができる。カチオン電荷密度はまた、一般に室温で約7のpHで、ケルダール法によって実験的に決定することもできる。
【００４６】
本発明に従って使用されてもよい4meq./gを超えるカチオン電荷密度を有するカチオン性ポリマーは、組成物で処置される毛髪の美容特性を改善するとそれ自体知られている任意のポリマー、すなわち、特に、特許出願EP-A-0337 354および仏国特許出願FR-A-2270846、2383 660、2598 611、2470 596および2519863において記載されているものから選ぶことができる。
【００４７】
一般に、本発明の目的のために、「カチオン性ポリマー」という用語は、カチオン性基および/またはカチオン性基にイオン化され得る基を含む任意のポリマーを意味する。
【００４８】
カチオン性ポリマーは、ポリマー主鎖の一部を形成していてもよく、またはそれに直接結び付いている側鎖置換基が持っていてもよい第一級、第二級、第三級および/または第四級アミン基を含む単位を含有するものから選ばれる。
【００４９】
一般に使用されるカチオン性ポリマーは、約500から5×106の間、好ましくは約103から3×106の間の数平均モル質量を有する。
【００５０】
より特定して挙げることができるカチオン性ポリマーは、ポリアミン、ポリアミノアミドおよびポリ第四級アンモニウムタイプのポリマーである。これらは知られている製品である。
【００５１】
これらのポリマーのうち、以下を挙げることができる:
(1)アクリル酸もしくはメタクリル酸エステルまたはアミドから得られ、下記式(II)から(V):
【００５２】
【化１】
0005897596.tif 000002
【００５３】
の単位のうちの少なくとも1つを含む、ホモポリマーまたはコポリマー
(式中、
R3は、同一であってもまたは異なっていてもよく、水素原子またはCH3基を意味する;
Aは、同一であってもまたは異なっていてもよく、1から6個の炭素原子、好ましくは2もしくは3個の炭素原子の直鎖状もしくは分岐状アルキル基、または1から4個の炭素原子のヒドロキシアルキル基を表す;
R4、R5およびR6は、同一であってもまたは異なっていてもよく、1から18個までの炭素原子を含有するアルキル基またはベンジル基、好ましくは1から6個までの炭素原子を含有するアルキル基を表す;
R1およびR2は、同一であってもまたは異なっていてもよく、水素または1から6個までの炭素原子を含有するアルキル基、好ましくはメチルまたはエチルを表す;
X-は、メトサルフェートアニオンまたはハロゲン化物イオン、特に塩化物イオンまたは臭化物イオンなどの、無機または有機酸から得られるアニオンを意味する)。
【００５４】
ファミリー(1)のコポリマーはまた、低級(C1〜C4)アルキルで窒素が置換されている、アクリルアミド、メタクリルアミド、ジアセトンアクリルアミド、アクリルアミドおよびメタクリルアミド、アクリル酸またはメタクリル酸またはそれらのエステル、ビニルピロリドンまたはビニルカプロラクタムなどのビニルラクタム、ならびにビニルエステルのファミリーから選ぶことができるコモノマーから得られる1つまたは複数の単位も含有することができる。
【００５５】
したがって、ファミリー(1)のこれらコポリマーのうち、以下を挙げることができる:
-硫酸ジメチルでまたはハロゲン化ジメチルで第四級化されているアクリルアミドおよびジメチルアミノエチルメタクリレートのコポリマー、
-例えば、特許出願EP-A-080976において記載されている、アクリルアミドおよびメタクリロイルオキシエチルトリメチルアンモニウムクロリドのコポリマー、
-アクリルアミドおよびメタクリロイルオキシエチルトリメチルアンモニウムメトサルフェートのコポリマー、
-第四級化されているまたは第四級化されていないビニルピロリドン/ジアルキルアミノアルキルアクリレートまたはメタクリレートコポリマー。これらのポリマーは、仏国特許第2077143号および第2393573号において詳細に記載されている、
-ジメチルアミノエチルメタクリレート/ビニルカプロラクタム/ビニルピロリドンターポリマー、
-ビニルピロリドン/メタクリルアミドプロピルジメチルアミンコポリマー、
-第四級化されているビニルピロリドン/ジメチルアミノプロピルメタクリルアミドコポリマー、
-および、メタクリロイルオキシ(C1〜C4)アルキルトリ(C1〜C4)アルキルアンモニウム塩の架橋ポリマー、例えば、塩化メチルで第四級化されているジメチルアミノエチルメタクリレートの単独重合によって、または塩化メチルで第四級化されているジメチルアミノエチルメタクリレートとのアクリルアミドの共重合によって得られるポリマー(単独重合または共重合に続いてオレフィン性不飽和化合物と架橋する)、より特定すればメチレンビスアクリルアミドなど。より特定すれば、架橋アクリルアミド/メタクリロイルオキシエチルトリメチルアンモニウムクロリドコポリマー(重量で20/80)(鉱物油中に50重量%の前記コポリマーを含有する分散液の形態で)を使用することができる。この分散液は、Ciba社によってSalcare(登録商標)SC92の名称で販売されている。鉱物油中または液体エステル中に約50重量%のホモポリマーを含有する架橋メタクリロイル-オキシ-エチルトリメチルアンモニウムクロリドホモポリマーもまた使用することができる。これらの分散液は、Ciba社によってSalcare(登録商標)SC95およびSalcare(登録商標)SC96という名称で販売されている。
【００５６】
(2)アルキルジアリルアミンまたはジアルキルジアリルアンモニウムのシクロポリマー、例えば、鎖の構成要素として、式(VI)または(VII):
【００５７】
【化２】
0005897596.tif 000003
【００５８】
に対応する単位を含有するホモポリマーまたはコポリマーなど
(式中、式kおよびtは、0または1に等しく、和k+tは、1に等しい;R12は、水素原子またはメチル基を意味する;R10およびR11は互いに独立して、1から6個までの炭素原子を有するアルキル基、好ましくは1から5個の炭素原子を有するヒドロキシアルキル基、低級(C1〜C4)アミドアルキル基を意味し、そうでなければR10およびR11は、それらが結び付いている窒素原子と一緒になって、ピペリジルまたはモルホリニルなどの複素環式基を意味してもよい;Y-は、臭化物イオン、塩化物イオン、酢酸イオン、ホウ酸イオン、クエン酸イオン、酒石酸イオン、硫酸水素イオン、亜硫酸水素イオン、硫酸イオンまたはリン酸イオンなどのアニオンである)。これらのポリマーは、特に、仏国特許第2080759号において、およびその追加証明書第2190406号において記載されている。
【００５９】
R10およびR11は互いに独立して、好ましくは、1から4個までの炭素原子を含有するアルキル基を意味する。
【００６０】
上記で定義されたポリマーのうち、より特定すれば、特にNalco社によってMerquat100の名称で販売されているジメチルジアリルアンモニウム塩(例えば、クロリド)ホモポリマー(および低重量平均モル質量のその同族体)およびジアリルジメチルアンモニウムクロリドおよびアクリルアミドのコポリマーを挙げることができる。
【００６１】
(3)ビニルラクタム(ビニルピロリドンおよび/またはビニルカプロラクタム)およびビニルイミダゾールの第四級コポリマー。
【００６２】
(4)式(VIII):
【００６３】
【化３】
0005897596.tif 000004
【００６４】
に対応する反復単位を含有する第四級ジアンモニウムポリマー
[式(VIII)中、
R13、R14、R15およびR16は、同一であってもまたは異なっていてもよく、1から20個までの炭素原子を含有する脂肪族基、脂環式基もしくはアリール脂肪族基またはC1〜C6低級ヒドロキシアルキル脂肪族基を表し、または代替として、R13、R14、R15およびR16は、一緒にまたは別々に、それらが結び付いている窒素原子と一緒に、窒素以外の第2のヘテロ原子を任意選択で含有する複素環を構成し、または代替として、R13、R14、R15およびR16は、ニトリル、エステル、アシルもしくはアミド基または基-CO-O-R17-Dもしくは-CO-NH-R17-D(式中、R17はアルキレンであり、Dは第四級アンモニウム基である)で置換されている直鎖状または分岐状のC1〜C6アルキル基を表す;
A1およびB1は、2から20個までの炭素原子を含有するポリメチレン基を表し、この基は、直鎖状または分岐状で飽和または不飽和であってもよく、主鎖に連結または挿入された1つもしくは複数の芳香族環、または1つもしくは複数の酸素もしくは硫黄原子、またはスルホキシド、スルホン、ジスルフィド、アミノ、アルキルアミノ、ヒドロキシル、第四級アンモニウム、ウレイド、アミドもしくはエステル基を含有していてもよく、
X-は、無機または有機酸から得られるアニオンを意味する;
A1、R13およびR15は、それらが結び付いている2個の窒素原子と一緒に、ピペラジン環を形成していてもよい;加えて、A1が、直鎖状または分岐状の飽和または不飽和のアルキレンまたはヒドロキシアルキレン基を意味するならば、B1はまた、基(CH2)n-CO-D-OC-(CH2)p-を意味してもよい
{式中、
nおよびpは、同一であってもまたは異なっていてもよく、約2から20までの範囲の整数であり、
Dは、
a)式:-O-Z-O-のグリコール残基(ここで、Zは、直鎖状または分岐状の炭化水素ベースの基または以下の式:
-(CH2-CH2-O)x-CH2-CH2-
-[CH2-CH(CH3)-O]y-CH2-CH(CH3)-
のうちの1つに対応する基を意味し、ここで、xおよびyは、定義された特有の重合度を表す1から4までの整数または平均重合度を表す1から4までの任意の数を意味する);
b)ピペラジン誘導体などのビス第二級ジアミン残基;
c)式:-NH-Y-NH-のビス第一級ジアミン残基(ここで、Yは、直鎖状または分岐状の炭化水素ベースの基、または代替として二価の基
-CH2-CH2-S-S-CH2-CH2-
を意味する);
d)式:-NH-CO-NH-のウレイレン基
を意味する}]。
【００６５】
好ましくは、X-は、塩化物イオンまたは臭化物イオンなどのアニオンである。
【００６６】
これらのポリマーは、一般に、1000から100000の間の数平均分子量を有する。
【００６７】
このタイプのポリマーは、仏国特許第2320330号、第2270846号、第2316271号、第2336434号および第2413907号ならびに米国特許第2273780号、第2375853号、第2388614号、第2454547号、第3206462号、第2261002号、第2271378号、第3874870号、第4001432号、第3929990号、第3966904号、第4005193号、第4025617号、第4025627号、第4025653号、第4026945号および第4027020号において特に記載されている。
【００６８】
より特定すれば、式:
【００６９】
【化４】
0005897596.tif 000005
【００７０】
に対応する反復単位から本質的に形成されるポリマー
(式中、R18、R19、R20およびR21は、同一であってもまたは異なっていてもよく、約1から4個までの炭素原子を含有するアルキルまたはヒドロキシアルキル基を意味し、rおよびsは、約2から20までの範囲の整数であり、X-は、無機または有機酸から得られるアニオンである)を使用することが可能である。
【００７１】
1つの特に好ましい式(a)の化合物は、R18、R19、R20およびR21がメチル基を表し、r=3、s=6およびX=Clであるものであり、これは、INCI命名法(CTFA)に従って塩化ヘキサジメトリンと呼ばれる。
【００７２】
(5)式(IX):
【００７３】
【化５】
0005897596.tif 000006
【００７４】
の単位で構成されるポリ第四級アンモニウムポリマー
[式(IX)中、
R22、R23、R24およびR25は、同一であってもまたは異なっていてもよく、水素原子またはメチル、エチル、プロピル、β-ヒドロキシエチル、β-ヒドロキシプロピルもしくは-CH2CH2(OCH2CH2)pOH基
(ここで、pは、0または1から6の間の整数に等しく、但し、R22、R23、R24およびR25が同時に水素原子を表すことはない)を表し、
tおよびuは、同一であってもまたは異なっていてもよく、1から6の間の整数であり、
vは、0または1から34の間の整数に等しく、
X-は、ハロゲン化物イオンなどのアニオンを意味し、
Aは、ジハライド基を意味し、または好ましくは、-CH2-CH2-O-CH2-CH2-を表す]。
【００７５】
そのような化合物は、特に、特許出願EP-A-122 324において記載されている。
【００７６】
これらのうち、例えば、Miranol社によって販売されている製品Mirapol(登録商標)A15、Mirapol(登録商標)AD1、Mirapol(登録商標)AZ1およびMirapol(登録商標)175を挙げることができる。
【００７７】
本発明の状況において使用されてもよい他のカチオン性ポリマーは、ポリアルキレンイミン、特に、ポリエチレンイミン、ビニルピリジンまたはビニルピリジニウム単位を含有するポリマー、ポリアミンとエピクロロヒドリンの縮合物、ポリ第四級ウレイレンおよびキチン誘導体である。
【００７８】
本発明の状況において使用されてもよいすべてのカチオン性ポリマーのうち、カチオン性シクロポリマー、特に、Nalco社によってMerquat100の名称で販売されているジメチルジアリルアンモニウムクロリドホモポリマー(および低重量平均モル質量のその同族体)、式(VIII)の単位を含有するポリマー、およびそれらの混合物が好ましくは使用される。
【００７９】
本発明によれば、4meq./gを超えるカチオン密度を有するカチオン性ポリマー(iii)は、組成物の総重量に対して、0.01重量%から10重量%まで、好ましくは0.05重量%から5重量%まで、さらにより優先的には0.1重量%から3重量%までに相当してもよい。
【００８０】
好ましくは、4meq./g以上の電荷密度を有するカチオン性ポリマー/式(A)の重縮合物の重量比は、0.1から10まで、さらに良いのは0.5から5まで、さらにより優先的には0.5から1までの範囲である。
【００８１】
本発明による組成物は、イオン性または非イオン性種、好ましくはカチオン性または非イオン性種から選ばれる合成または天然の直接染料を任意選択で含んでいてもよい。
【００８２】
挙げることができる適した直接染料の例は、単独でまたは混合物としての、アゾ染料;メチン染料;カルボニル染料;アジン染料;ニトロ(ヘテロ)アリール染料;トリ(ヘテロ)アリールメタン染料;ポルフィリン染料;フタロシアニン染料および天然の直接染料を含む。
【００８３】
本発明によって使用されてもよい天然の直接染料のうち、ローソン、ジュグロン、アリザリン、プルプリン、カルミン酸、ケルメス酸、プルプロガリン、プロトカテクアルデヒド、インジゴ、イサチン、クルクミン、スピヌロシン、アピゲニジンおよびオルセインを挙げることができる。これらの天然の染料を含有する抽出物または煎出物、特に、ヘンナベースの湿布または抽出物もまた使用されてもよい。
【００８４】
それらが存在する場合、直接染料は、より特定すれば、組成物の総重量の0.0001重量%から10重量%まで、好ましくは0.005重量%から5重量%までに相当する。
【００８５】
染料担体としても知られている染色に適した媒体は、一般に、水、または水と、以前に記載された芳香族アルコール以外の1種もしくは複数の有機溶媒、例えば、C1〜C4低級アルカノール、例えば、エタノールおよびイソプロパノールなど、ポリオール、例えば、プロピレングリコール、ジプロピレングリコール、ヘキシレングリコールまたはグリセロールなど、およびポリオールエーテル、例えばジプロピレングリコールモノメチルエーテルなどとの混合物を含む。
【００８６】
特定の一実施態様によれば、本発明の組成物は、C1〜C4脂肪族アルコール、特に、エタノールまたはイソプロパノールを含む。
【００８７】
これらの溶媒は、一般に、染料組成物の総重量に対して、約1重量%から40重量%の間、さらにより優先的には約3重量%から30重量%の間であってもよい比率で存在する。
【００８８】
本発明による染料組成物はまた、毛髪染料組成物において従来から使用されている様々な補助剤、例えば、アニオン性、カチオン性、非イオン性、両性または双性イオン性界面活性剤またはそれらの混合物、アニオン性、カチオン性(本発明において有用であるもの以外の)、非イオン性、両性または双性イオン性ポリマーまたはそれらの混合物、無機増粘剤、例えばシリケートなど、または有機増粘剤、特に、アニオン性、カチオン性、非イオン性および両性会合性ポリマー増粘剤、酸化防止剤、浸透剤、金属イオン封鎖剤、芳香剤、緩衝剤、分散剤、コンディショニング剤、例えば、揮発性または不揮発性の変性または非変性シリコーン、フィルム形成剤、セラミド、防腐剤ならびに乳白剤などを含有してもよい。
【００８９】
上記の補助剤は、一般に、それらのそれぞれについて、組成物の重量に対して0.01重量%から20重量%の間の量で存在する。
【００９０】
言うまでもなく、当業者は、本発明による酸化染料組成物と本質的に関連する有利な特性が想定される添加によって悪影響を受けないまたは実質的に受けないように、このまたはこれらの任意選択のさらなる化合物を注意深く選択するはずである。
【００９１】
本発明による染料組成物のpHは、一般に、約5から14の間であり、好ましくは5を超える。特定の一実施態様によれば、pHは、約6から11の間である。pHは、ケラチン繊維の染色において通常使用される酸性化剤または塩基性化剤によって、または代替として標準的な緩衝系を使用して、所望の値まで調整してもよい。
【００９２】
挙げることができる酸性化剤は、例えば、無機または有機酸、例えば、塩酸、オルトリン酸または硫酸、カルボン酸、例えば、酢酸、酒石酸、クエン酸および乳酸、ならびにスルホン酸である。
【００９３】
塩基性化剤のうち、挙げることができる例は、アンモニア水、炭酸アルカリ、アルカノールアミン、例えば、モノ、ジおよびトリエタノールアミンなど、ならびにそれらの誘導体、水酸化ナトリウム、水酸化カリウムならびに下記式(A)の化合物:
【００９４】
【化６】
0005897596.tif 000007
【００９５】
(式中、Wは、ヒドロキシル基またはC1〜C4アルキル基で任意選択で置換されているプロピレン残基である;Ra、Rb、RcおよびRdは、同一であってもまたは異なっていてもよく、水素原子またはC1〜C4アルキルもしくはC1〜C4ヒドロキシアルキル基を表す)を含む。
【００９６】
有利には、本発明による組成物は、組成物の重量に対して、0.01重量%から30重量%まで、好ましくは0.1重量%から20重量%までの範囲の塩基性化剤の含有量を有する。
【００９７】
一実施形態によれば、組成物は、少なくとも1種のアルカリ剤を含む。
【００９８】
本発明による組成物は、1種または複数の酸化剤を含んでいてもよい。通常では、酸化剤は、使用時に組成物に添加される。
【００９９】
より特定すれば、酸化剤は、過酸化水素、過酸化尿素、アルカリ金属臭素酸塩またはフェリシアン化物、過酸化塩、例えば、アルカリ金属またはアルカリ土類金属過硫酸塩、過ホウ酸塩および過炭酸塩、およびさらに過酸ならびにそれらの前駆体から選ばれる。
【０１００】
有利には、酸化剤は過酸化水素である。
【０１０１】
酸化剤の含有量は、より特定すれば、組成物の重量に対して、0.1重量%から20重量%まで、好ましくは0.5重量%から10重量%までに相当する。
【０１０２】
好ましくは、酸化剤は、水性溶液中の過酸化水素であり、その濃度は、より特定すれば、酸化組成物の重量に対して、0.1重量%から50重量%まで、より特定すれば0.5重量%から20重量%の間、さらにより優先的には1重量%から15重量%の間の範囲である。
【０１０３】
好ましくは、酸化剤と混合する前の本発明の組成物は、25℃の温度および大気圧(760mmHg)で液体形態であり、すなわち、その自身の重量の作用下で流動することができる。
【０１０４】
好ましくは、酸化剤と混合する前の本発明の組成物の、25℃の温度における1s-1のせん断速度での粘度は、10-2Pa.sから5Pa.sの間、好ましくは10-1Pa.sから2Pa.sの間である。粘度は、コーン-プレート形状を有するThermo Haake RS600レオメーターまたは等価な装置を使用して測定することができる。
【０１０５】
好ましくは、酸化剤と混合する前の本発明の組成物は、8%を超える、さらにより優先的には10%を超える、イオン性または非イオン性界面活性剤の総量を含有する。
【０１０６】
したがって、本発明による染色プロセスは、少なくとも1種の染料前駆体、以前に定義された通りの少なくとも1種のポリエチレンとポリプロピレンの重縮合物、および4meq./g以上の電荷密度を有する少なくとも1種のカチオン性ポリマー、および任意選択でアルカリ剤を含む、酸化剤を含まない組成物を、酸化剤を含む組成物と混合し、この組成物を、濡れたまたは乾いたヒトケラチン繊維に適用するものである。
【０１０７】
次いで、組成物を、通常1分から1時間までの、好ましくは5分から30分までの範囲の時間、その場に放置する。
【０１０８】
プロセス中の温度は、通常では、室温(15℃から25℃の間)から80℃の間、好ましくは室温から60℃の間である。
【０１０９】
処置の後、ヒトケラチン繊維は、乾燥する、または放置して乾燥させる前に、任意選択で水ですすぎ、任意選択でシャンプーで洗浄し、次いで、水ですすぐ。
【０１１０】
(実施例)
以下の組成物を調製した:
【０１１１】
【表１】
0005897596.tif 000008
【０１１２】
【表２】
0005897596.tif 000009
【０１１３】
【表３】
0005897596.tif 000010
【０１１４】
組成物A、BおよびCは、長時間安定である。それらのそれぞれを、それ自体の重量の1.5倍の、pH2の7.5%過酸化水素を含む酸化組成物と混合する。
【０１１５】
得られる混合物は、垂れることなく、暗い栗色の毛髪に容易に適用される。25℃で30分のリーブオン時間に続いてすすいだ後、毛髪を洗浄し、乾燥する。次いで頭髪を、組成物A、BおよびCから得られる2つの混合物で、濃い金色の明るい栗色に均一に染色する。